(57)【要約】【課題】手提げ紐が嵩張らず、部品数が多くならず、容易に組み立てることが可能な、手提げ式にして使用することができるランドセルを提供する。【解決手段】ランドセル本体１の上方に突出する手提げ紐２を、その両端部を背環３の基板と背当て部５の間に配し、前記両端部と背環３の基板を貫通する止め具６により背当て部５に固定したものとしている。手提げ紐２を、筒状にした生地に長尺方向に沿って接合部分を設けたものとし、前記接合部分に止め具６を貫通させたものとしてもよい。接合部分の両側に線状の芯材を挿通させて、手提げ紐２が略逆Ｕ字状の形状に保形されるようにしてもよい。また、止め具６はリベットとすることができる。【選択図】図１
0003160178.tif 000002
【実用新案登録請求の範囲】
【請求項１】
ランドセル本体（１）の上方に突出する手提げ紐（２）を、その両端部を背環（３）の基板（４）と背当て部（５）の間に配し、前記両端部と背環（３）の基板（４）を貫通する止め具（６）により背当て部（５）に固定したことを特徴とするランドセル。
【請求項２】
手提げ紐（２）を、断面が８の字状になるように、筒状にした生地に長尺方向に沿って接合部分（２ａ）を設けたものとし、前記接合部分（２ａ）に止め具（６）を貫通させている請求項１記載のランドセル。
【請求項３】
接合部分（２ａ）の両側に線状の芯材（２ｂ）を挿通させて、手提げ紐（２）が略逆Ｕ字状の形状に保形されるようにした請求項１又は２記載のランドセル。
【請求項４】
止め具（６）をリベットとした請求項１、２又は３記載のランドセル。
【考案の詳細な説明】
【技術分野】
【０００１】
この考案は、学童が背負う以外に、手提げ式にして使用することができるランドセルに関するものである。
【背景技術】
【０００２】
従来、学童が背負う以外に、手提げ式にして使用することができるようにしたランドセルとしては、特許文献１に記載のものがある。この特許文献１に記載のランドセルは、ランドセル本体１の左右マチ部２に止体３を設けたものとし、この止体３に、手提げ式にしたり、肩掛け式にすることのできる予備ベルト４を着脱自在に取り付けることができるようにし、前記止体３は、吊下げ環５を取り付けたものとし、ランドセル本体１の左右マチ部２の表側に添わせたそれぞれのマチベルト６と、これら左右マチ部２の裏側に添わせたそれぞれの補強板７を、前記左右マチ部２をそれぞれ間に挟んで、これら左右マチ部２に複数個所をリベット止めしたうちの一個所と一緒にリベット止めしたものとしている。
【０００３】
この従来のランドセルは、耐久性に優れ、また低学年の学童などによっても、簡単に取り扱えるようになっている。しかし、予備ベルト４が左右マチ部間にわたるものであるため嵩張り、また、止体３等の部材が必要となるため部品数が多くなり、組み立て作業が複雑になるなどの問題があり、改良の余地があった。
【先行技術文献】
【特許文献】
【０００４】
【特許文献１】実用新案登録第３１５２０３０号公報
【考案の概要】
【考案が解決しようとする課題】
【０００５】
そこで、この考案は、手提げ紐が嵩張らず、部品数が多くならず、容易に組み立てることが可能な、手提げ式にして使用することができるランドセルを提供することを課題とする。
【課題を解決するための手段】
【０００６】
前記課題を解決するため、この考案は次のような技術的手段を講じている。
【０００７】
この考案のランドセルは、ランドセル本体１の上方に突出する手提げ紐２を、その両端部を背環３の基板４と背当て部５の間に配し、前記両端部と背環３の基板４を貫通する止め具６により背当て部５に固定したものとしている。
【０００８】
手提げ紐２を、筒状にした生地に長尺方向に沿って接合部分２ａを設けたものとし、前記接合部分２ａに止め具６を貫通させたものとしてもよい。
【０００９】
接合部分２ａの両側に線状の芯材２ｂを挿通させて、手提げ紐２が略逆Ｕ字状の形状に保形されるようにしてもよい。
【００１０】
また、止め具６はリベットとすることができる。
【考案の効果】
【００１１】
この考案のランドセルは、上述のような構成を有しており、手提げ紐２が背環３を利用して取り付けられているので、嵩張らず、部品数が多くならず、容易に組み立てることが可能である。
【００１２】
手提げ紐２を、断面が８の字状になるように、筒状にした生地に長尺方向に沿って接合部分２ａを設けたものとし、前記接合部分２ａに止め具６を貫通させれば、止め具６を貫通させても、手提げ紐２を引っ張り上げたときに破損しにくい。
【００１３】
接合部分２ａの両側に線状の芯材２ｂを挿通させて、手提げ紐２が略逆Ｕ字状の形状に保形されるようにすれば、手提げ紐２が使用し易くなる。
【図面の簡単な説明】
【００１４】
【図１】この考案の実施形態のランドセルの正面図である。
【図２】この考案の実施形態のランドセルの手提げ紐と背環等の分解斜視図である。
【図３】手提げ紐を途中で切断して内部を示す説明図である。
【考案を実施するための形態】
【００１５】
以下、この考案の好適な実施形態を、図面を参照して説明する。
【００１６】
このランドセルは、ランドセル本体１の上方に突出する手提げ紐２を、その両端部を背環３の基板４と背当て部５の間に配し、前記両端部と背環３の基板４を貫通する止め具６により背当て部５に固定したものである。
【００１７】
ランドセル本体１の基本的な構成は、図１に示したように一般的なランドセルと同様であり、上面が開口した箱状の収納部と、収納部の開口を覆う被せと、クッション材を内部に有する背当て部５と、背当て部５の中央上部に設けられた背環３等からなる。
【００１８】
背環３は、図２に示したように、金属材や合成樹脂材などから形成される基板４と、この基板４の表面を覆う薄手の金属材や合成樹脂材などから形成されるカバー板７と、前記基板４とカバー板７との間に設けた空室Ｓ内に揺動可能に収容した一対の揺動アーム８と、前記空室Ｓ内において揺動アーム８をそれぞれ中央方向に付勢するバネ９と、不使用時のランドセルを吊り下げておくための吊下環１０とからなるものとしている。
【００１９】
基板４は、左右対称に形成した係止部１１に連続して設けた閉鎖部１２を有する仕切体１３を中央上部に形成し、この仕切体１３の左右両側にそれぞれ設けた開口部１４と、この開口部の他側に連続して周縁に設けた壁部１５の両端部にそれぞれ外側ガイド面部１６を形成したものとしている。そして、この基板４の表面に前記カバー板７が取り付けられ、基板４とカバー板７の間に前記空室Ｓが設けられている。
【００２０】
バネ９は、略Ｕ字状の板バネとしており、外体９ａを前記基板４の外側ガイド面部１６に当接させ、内体９ｂを前記揺動アーム８の胴部１７の外側端１７ｂに当接させることにより、一対の揺動アーム８を互いに中央方向に付勢させるものとしている。
【００２１】
背環３は、空室Ｓ内をリベット（止め具６）が通過するようにカバー板７の上部の両端寄りにリベット孔１９ａ、１９ａを設けると共に、基板４の上部の両端寄りにリベット孔１９ｂ、１９ｂを設け、カバー板７側からこれらリベット孔１９ａ、１９ｂ、リベット孔１９ａ、１９ｂにそれぞれリベット（止め具６）を貫通させて、ランドセル本体１の背当て部５の裏側に取り付けられる止板（図示せず）にリベット止めしている。
【００２２】
さらに、前記カバー板７の下部の両端寄りにリベット孔２０ａ、２０ａを設けると共に、基板４の下部の両端寄りにリベット孔２０ｂ、２０ｂを設け、揺動アーム８の下部寄りにリベット孔２０ｃ、２０ｃを設け、基板４側からこれらリベット孔２０ａ、２０ｂ、２０ｃ、リベット孔２０ａ、２０ｂ、２０ｃにそれぞれリベット２１を貫通させて、基板４とカバー板７の間に揺動アーム８を軸支している。
【００２３】
なお、図２中、２２はカバー板７の上に当生地２３（図１参照）を押さえ付けておくための押板であり、この押板２２は、中央にリベット孔２４を設けると共に両端寄りにリベット孔２５，２５を設けており、当生地２３を前記カバー板７との間に挟んで、リベット孔２４にリベット２６を貫通させると共に、リベット孔２５，２５に前記リベット（止め具６）を貫通させることにより、基板４とカバー板７と共に、ランドセル本体１の背当て部５の裏側に取り付けられる前記止板（図示せず）にリベット止めしている。
【００２４】
手提げ紐２は、布地や皮革地などの各種の素材からなるもので、図１に示したように略逆Ｕ字状に曲げられ、ランドセル本体１の上方に少なくとも手が差し込める空間が開く程度に突出する態様で設けられる。
【００２５】
手提げ紐２の左右の各端部は、それぞれ前記背環３の基板４と背当て部５の間に位置し、基板４の左右両端寄りのリベット孔１９ｂ、１９ｂを貫通するリベット（止め具６）により、基板４等とともに背当て部５の裏側に取り付けられる止板にリベット止めされる。なお、止め具６は、リベット以外にも、ボルト・ナット等、手提げ紐２と基板４を貫通する態様の適宜のものとすることができる。
【００２６】
手提げ紐２は、図３に示したように、断面が８の字状になるように、筒状にした生地に長尺方向に沿って接合部分２ａを設け、接合部分２ａの両側に線状の芯材２ｂを挿通させて略逆Ｕ字状の形状が保形されるようにした構成としている。前記接合部分２ａでは２枚の生地が縫製等により接合されており、この接合部分２ａに止め具６を貫通させるようにしている。なお、芯材２ｂは各種繊維、プラスチック、金属等の素材からなるものとすることができ、また、省略することもできる。
【００２７】
接合部分２ａは、他の部分に比べて強度が確保できるため、止め具６を貫通させても、手提げ紐２を引っ張り上げたときに破損しにくい。なお、前記接合部分２ａには、止め具６が貫通する孔（図示せず）を予め形成しておくことができる。
【００２８】
このランドセルは、上記のように手提げ紐２が背環３を利用して取り付けられているので、リベット（止め具６）により強固に固定されるとともに、両端部が背環３の幅内に収まり、比較的短くできるので嵩張らず、また、手提げ紐２以外に部品を追加する必要がなく、容易に組み立てることが可能である。
【００２９】
以上がこの考案の好適な実施形態であるが、この考案は上述の実施形態の構成に限定されるものではなく、形状、寸法、材質等を適宜変更して実施することができる。
【符号の説明】
【００３０】
１  ランドセル本体
２  手提げ紐
３  背環
４  基板
５  背当て部
６  止め具
２ａ  接合部分
２ｂ  芯材
【図１】
0003160178.tif 000003
【図２】
0003160178.tif 000004
【図３】
0003160178.tif 000005
【手続補正書】
【提出日】平成22年4月1日(2010.4.1)
【手続補正１】
【補正対象書類名】実用新案登録請求の範囲
【補正対象項目名】請求項３
【補正方法】変更
【補正の内容】
【請求項３】
接合部分（２ａ）の両側に線状の芯材（２ｂ）を挿通させて、手提げ紐（２）が略逆Ｕ字状の形状に保形されるようにした請求項２記載のランドセル。